(57)【要約】  【課題】  発熱体の発生熱をベース板全体に均熱化させ、これによって放熱フィンによる放熱作用を広範囲に亘り有効に働かせて冷却性能を向上させるようにする。  【解決手段】  ベース板１１に対してヒートパイプ２１をほぼ全長に亘り埋設させて構成し、かつヒートパイプ２１での冷却流体排出側対応の放熱端部側を水平方向に対して上方になるように傾斜設定させる。【選択図】  図１
2005076979.tif 000002
【特許請求の範囲】
【請求項１】
一方の面に発熱体を保持し、かつ他方の面に放熱フィンを並設させたベース板を用いるヒートシンクであって、
前記ベース板に対して少なくとも１本以上のヒートパイプをほぼ全長に亘って埋設配置させたことを特徴とするヒートパイプを備えるヒートシンク。
【請求項２】
前記ベース板に対して埋設されるヒートパイプでの放熱部側が、使用状態において、水平方向に対して上方になるように傾斜設定して用いられることを特徴とする請求項１に記載のヒートパイプを備えるヒートシンク。
【請求項３】
前記ヒートパイプの放熱部側が、前記ベース板に対し、予め水平方向に対して上方側を向くように埋設配置されており、使用状態では、該ベース板を水平方向に維持させて用いるようにしたことを特徴とする請求項２に記載のヒートパイプを備えるヒートシンク。
【請求項４】
前記ヒートパイプが、前記ベース板に対し、予め水平方向に埋設配置されており、使用状態では、該ヒートパイプの放熱部側が水平方向に対して上方になるように該ベース板を傾斜させて用いるようにしたことを特徴とする請求項２に記載のヒートパイプを備えるヒートシンク。
【発明の詳細な説明】
【技術分野】
【０００１】
本発明は、発熱体としてＩＧＢＴなどの発熱素子を冷却するために用いられるヒートパイプを備えるヒートシンクに関し、さらに詳しくは、一方の面に発熱体を保持し、他方の面に放熱フィンを並設させたベース板に対して、ヒートパイプを埋設して用いるようにしたヒートシンクの改良に係るものである。
【背景技術】
【０００２】
従来から、ＩＧＢＴなどの発熱素子を冷却するヒートシンクとしては、一方の面に発熱体を保持させたベース板を用い、該ベース板の他方の面に複数の放熱フィンを櫛形や格子形に配設して構成した比較的安価なヒートシンクが多用されている。しかし、この構成のヒートシンクでは、その放熱性能が必ずしも十分ではないので、特に、高発熱密度の半導体素子を効果的に冷却させる場合などには、その冷却性能を向上させるために、熱伝導性の高い銅製ヒートパイプによるヒートシンクを使用するとか、あるいはヒートパイプ作動液としてフロリナートを用いた沸騰冷却式のヒートシンクを使用するのが一般的である。
【０００３】
ここで、前記銅製ヒートパイプによるヒートシンクとしては、例えば、特許文献１に見られるように、複数枚の放熱フィンを多段に接合させた数本組みのヒートパイプを設け、該各ヒートパイプの一端部側をベース板面に固着させたものであるが、このように各ヒートパイプに多段接合した各放熱フィンにベース板からの発生熱を伝熱させて熱放散する形式のヒートシンクでは、該ヒートシンク自体の高さが比較的低くされた構成の場合、すなわち、放熱フィンを配したヒートパイプにおける放熱部の長さ寸法が短い構成では、例えば、櫛形ヒートシンクのように、ベース板と各放熱フィンとが金属的に結合されているものより、ヒートパイプから放熱フィンへの効率的な熱伝導性に欠けることになり、このために冷却性能の点で劣るという問題点があった。
【０００４】
また、前記構成によるヒートシンクでは、使用場所での外気温度が氷点下にまで達すると、ヒートパイプ内の冷却水が放熱部側で凍結して受熱部側に還流しなくなる惧れを生じて、ヒートパイプとしての本来の機能を果たせなくなるという欠点もあり、さらには、ヒートパイプ自体がベース板面の外部にむき出しになっていることから、使用中や輸送中などにおける内部冷却水の凍結で該むき出し部分が破壊されるという問題点もあった。
【０００５】
一方、前記高発熱密度の素子冷却を行なう場合でのフロリナートを用いる沸騰冷却式ヒートシンクにおいては、その全体的構成が複雑化されて高価であり、かつ冷媒として温暖化係数の大きいフロリナートを使っているため、比較的良好な冷却性能を得られるのではあるが、環境悪化の問題を生じ易く、その使用が年々敬遠されつつある。
【０００６】
さらに、この種のヒートシンクの別な提案例として特許文献２に開示された構成があり、該構成の場合には、ベース板におけるヒートパイプ取付け孔内面と該ヒートパイプ外面とを凹凸形状に形成して相互に嵌着結合させたものであるが、本発明におけるように、ベース板に対してヒートパイプをほぼ全長に亘って埋め込む必要性については全く述べられておらず、ここでもヒートパイプがベース板面からむき出しにされていると、前記と同様な欠点を生ずることになるほか、ヒートパイプの配置形態（本発明での設置角度に対応）についても全く触れられていないため、設置角度の如何によっては該ヒートパイプが十分に機能せずに冷却性能に不利を生ずる惧れもあった。
【０００７】
【特許文献１】特開平７−２６３６０１号公報
【特許文献２】特開２０００−１８８５２号公報
【発明の開示】
【発明が解決しようとする課題】
【０００８】
従って、本発明の目的は、発熱体の発生熱をベース板全体に均熱化させることで、放熱フィンによる放熱作用を広範囲に亘り有効に働かせて、意図する冷却性能を格段かつ効果的に向上させ得るようにしたヒートパイプを備えるヒートシンクを提供することである。
【課題を解決するための手段】
【０００９】
上記目的を達成するため、本発明に係る請求項１に記載の発明は、一方の面に発熱体を保持し、かつ他方の面に放熱フィンを並設させたベース板を用いるヒートシンクであって、前記ベース板に対して少なくとも１本以上のヒートパイプをほぼ全長に亘って埋設配置させたことを特徴としている。
【００１０】
本発明の請求項１のヒートパイプを備えるヒートシンクでは、ベース板に対してヒートパイプをほぼ全長に亘って埋設させたので、発熱体の発生熱をベース板全体に均熱化でき、この結果、放熱フィンによる放熱作用を広範囲に亘り有効に働かせて冷却性能の向上を容易に図り得る。
【００１１】
また、ヒートパイプがほぼ全長に亘ってベース板に埋め込まれるから、起動時に該ヒートパイプ内の冷却水がたとえ凍結したとしても、該起動に伴うベース板自体の温度上昇で容易に溶け出すため、ヒートパイプとしての機能が失なわれるようなことはない。しかも、このようにヒートパイプがベース板内に埋められ、その全長が外部にむき出しにされていないので、使用中あるいは輸送中などに内部の冷却水が凍結してもパイプ自体の破壊の惧れは回避される。
【００１２】
本発明に係る請求項２に記載の発明は、前記請求項１のヒートパイプを備えるヒートシンクにおいて、前記ベース板に対して埋設されるヒートパイプでの放熱部側が、使用状態において、水平方向に対して上方になるように傾斜設定して用いられることを特徴としている。
【００１３】
また、本発明に係る請求項３に記載の発明は、前記請求項２のヒートパイプを備えるヒートシンクにおいて、前記ヒートパイプの放熱部側が、前記ベース板に対し、予め水平方向に対して上方側を向くように埋設配置されており、使用状態では、該ベース板を水平方向に維持させて用いるようにしたことを特徴としている。
【００１４】
また、本発明に係る請求項４に記載の発明は、前記請求項２のヒートパイプを備えるヒートシンクにおいて、前記ヒートパイプが、前記ベース板に対し、予め水平方向に埋設配置されており、使用状態では、該ヒートパイプの放熱部側が水平方向に対して上方になるように該ベース板を傾斜させて用いるようにしたことを特徴としている。
【００１５】
本発明の請求項２および３，４の各ヒートパイプを備えるヒートシンクでは、使用状態におけるヒートパイプの放熱部側が、何れにしても上方になるように傾斜して位置されるので、該ヒートパイプ自体がいわゆるトップヒートにはなり難く、これによって熱輸送量が実質的に増加されるため、ベース板全体の均熱化効果が一層促進されて放熱性能が向上することになるのである。
さらに本発明は、前記請求項１のヒートパイプを備えるヒートシンクにおいて、
前記ベース板に対して埋設されるヒートパイプの端部が、口絞り加工などで十分な耐圧強度を有する場合、該端部をベース板の外部に露出させて用いるようにしてもよい。
このようにしたヒートパイプを備えるヒートシンクでは、埋設されるヒートパイプの端部に十分な耐圧強度が与えられているために、該端部がベース板の外部に露出されていても内部の冷却水の凍結によるヒートパイプ自体が破壊されることはない。
【発明の効果】
【００１６】
本発明に係るヒートパイプを備えるヒートシンクは、発熱体の発生熱をベース板全体に均熱化でき、これによって放熱フィンによる放熱作用を広範囲に亘り有効に働かせて冷却性能を向上させ得るもので、極めて簡単な構成であるのにも拘らず実用上、特段に優れた放熱効果が得られるのである。
【発明を実施するための最良の形態】
【００１７】
以下、本発明に係るヒートパイプを備えるヒートシンクの好ましい実施形態につき、図１ないし図５を参照して詳細に説明する。
【００１８】
〔第１実施形態〕
図１は本第１実施形態を適用した櫛形ヒートシンクの基本的な概要構成を示すもので、同図１(a)は同上櫛形ヒートシンクでの各放熱フィンと各ヒートパイプとをそれぞれ縦型にして用いる場合の外観態様を模式的に表わした全体斜視図であり、同図１(b)は該図１(a)の平面図、同図１(c)は該図１(a)の側面図である。また、図２は同上櫛形ヒートシンクでの各放熱フィンと各ヒートパイプとをそれぞれ横型にして用いる場合の外観態様を模式的に表わした全体斜視図、図３は同上櫛形ヒートシンクでの各放熱フィンを横型にし、かつ各ヒートパイプを縦型にして用いる場合の外観態様を模式的に表わした全体斜視図である。
【００１９】
本第１実施形態を適用した櫛形ヒートシンク１０は、図１(a)ないし(c)に示す如く、発熱体としてのＩＧＢＴなどの発熱素子１２を一方の面に固定的に保持させたベース板１１を用い、該ベース板１１の他方の面に複数個の放熱フィン１３を並設させることで、各放熱フィン１３，１３間に対して放熱作用を得るための冷却流体（ここでは冷却空気）を通流させる冷却流路１４をそれぞれに形成させてあり、かつ前記ベース板１１に対しては、ヒートパイプ２１をほぼ全長に亘って埋設配置させてある。
【００２０】
ここで、前記ベース板１１へのヒートパイプ２１の埋め込みについては、該ベース板１１に対して押出し成形時にヒートパイプ２１の埋め込み穴を形成しておくことで安価に製造できるのであるが、このほかにも、ベース板１１に適当する埋め込み溝を形成しておき、該埋め込み溝にヒートパイプ２１を装入させてから半田などで埋め込むようにしてもよい。
【００２１】
而して、本第１実施形態による櫛形ヒートシンク１０の構成では、前記ベース板１１に対してヒートパイプ２１をほぼ全長に亘って埋設配置させたから、発熱素子１２の発生熱をベース板１１の全体に分散させて均熱化させ得るのであり、前記放熱フィン１３による放熱作用を広範囲に亘って有効に働かせることで冷却性能の向上を図り得るのである。
【００２２】
また、一方ではヒートパイプ２１がほぼ全長に亘ってベース板１１に埋め込まれるから、起動時にあって該ヒートパイプ２１内の冷却水がたとえ凍結したとしても、該起動に伴うベース板１１自体の温度上昇によって該凍結状態が容易かつ迅速に溶けるため、ヒートパイプ２１としての機能が失なわれるようなことは全くなく、しかも、このようにヒートパイプ２１がベース板１１内に埋め込まれ、その全長が外部にむき出しにされていないので、使用中あるいは輸送中などに内部の冷却水が凍結しても、パイプ自体が破壊する惧れを確実に避けられるのである。
【００２３】
〔第２実施形態〕
図２は本第２実施形態を適用した櫛形ヒートシンクの基本的な概要構成を示すもので、同上櫛形ヒートシンクでの各放熱フィンと各ヒートパイプとをそれぞれ縦型にして用いる場合の外観態様を模式的に表わした全体斜視図であり、図３は同上櫛形ヒートシンクでの各放熱フィンと各ヒートパイプとをそれぞれ横型にして用いる場合の外観態様を模式的に表わした全体斜視図、図４は同上櫛形ヒートシンクでの各放熱フィンを横型にし、かつ各ヒートパイプを縦型にして用いる場合の外観態様を模式的に表わした全体斜視図である。なお、これらの図２ないし図４の第２実施形態による構成において、上記図１の第１実施形態による構成と同一符号は同一または相当部分を示している。
【００２４】
本第２実施形態を適用した櫛形ヒートシンク１０においても、その基本的な構成は上記第１実施形態の場合とほぼ同様であって、図４(a)ないし(b)に示す如く、前記発熱素子１２を一方の面に固定保持させたベース板１１と、該ベース板１１の他方の面に並設させて各冷却流路１４を形成した各放熱フィン１３とを有しており、本第２実施形態では、上記第１実施形態において、前記ベース板１１に埋め込まれるヒートパイプ２１に所要の傾斜角度を与えることで冷却性能の一層の向上を図ったものである。
【００２５】
すなわち、前記ヒートパイプ２１が水平に近付くことで、その熱輸送量が次第に低下するために、該ヒートパイプ２１の放熱部側を可能な限り上方に向け、かつ受熱部側を可及的下方に向けるように配置するのが好ましいのであり、この点を考慮して、本第２実施形態においては、前記ヒートパイプ２１での使用時に高温度になる受熱部側を水平方向に対して下方になるように傾斜設定させた上で、前記ベース板１１に埋め込むようにするのである。この場合のベース板１１に対する傾斜角度としては、図４(a)に見られるように、ほぼ１°程度の比較的緩い傾斜角度にするか、図４(b)に見られるように、ほぼ１５°程度の比較的急な傾斜角度にすればよい。
【００２６】
従って、このようにベース板１１に対してヒートパイプ２１を傾斜させて埋め込んだ構成の第２実施形態による櫛形ヒートシンク１０では、使用状態におけるヒートパイプ２１の放熱部側が、上方になるように傾斜して位置されるので、先に述べた発熱体の発生熱のベース板１１全体への均熱化がより一層顕著になされることになる。
【００２７】
〔第１、第２の各実施形態による櫛形ヒートシンクの使用態様〕
図５は前記第１実施形態による櫛形ヒートシンクと第２実施形態による櫛形ヒートシンクとの各使用態様を示すもので、同図５(a)は第１実施形態による櫛形ヒートシンクの使用態様例を表わした正面説明図、同図５(b)は第２実施形態による櫛形ヒートシンクの使用態様例を表わした正面説明図である。
【００２８】
上記第２実施形態による櫛形ヒートシンク１０においては、前記ベース板１１に対してヒートパイプ２１を傾斜させて埋め込むようにすることで、使用状態におけるヒートパイプ２１の放熱部側を上方に位置させ、これによってベース板１１での全体の均熱化を図っているのであるが、同様な作用は、極めて当然なことながら、該ヒートパイプ２１を埋め込んだベース板１１（第１実施形態のヒートシンクに対応）のそれ自体を同一意図で傾斜させた状態に設置して使用しても容易に達成可能であり、また、この手段は第２実施形態に対しても、そのヒートパイプ２１の傾斜角度を調整するためなどに応用可能である。
【００２９】
従って、これらを要約してみると、第１および第２の各実施形態による櫛形ヒートシンク１０では、前記ヒートパイプ２１が、前記ベース板１１に対し、予め水平方向に埋設配置されている場合（第１実施形態）、使用状態においては該ヒートパイプ２１の放熱部が水平方向に対して上方側を向くようにベース板１１を設置して用い、また、前記ヒートパイプ２１の放熱部側が、前記ベース板１１に対し、予め水平方向に対して上方側を向くように埋設配置されている場合（第２実施形態）、使用状態においては該ベース板１１を水平方向に維持させて用いるようにするのであり、これらの何れの場合にあっても、使用状態におけるヒートパイプ２１の放熱部側が上方になるように傾斜して位置されることになるので、該ヒートパイプ自体がいわゆるトップヒートにはなり難く、しかも、これによって熱輸送量が実質的に増加されるため、ベース板全体の均熱化効果が一層促進されて放熱性能を良好かつ効果的に向上させ得るのである。
【図面の簡単な説明】
【００３０】
【図１】本発明の第１実施形態を適用した櫛形ヒートシンクの基本的な概要構成を示すもので、同図１(a)は同上櫛形ヒートシンクでの各放熱フィンと各ヒートパイプとをそれぞれ縦型にして用いる場合の外観態様を模式的に表わした全体斜視図であり、同図１(b)は該図１(a)の平面図、同図１(c)は該図１(a)の側面図である。
【図２】同上櫛形ヒートシンクでの各放熱フィンと各ヒートパイプとをそれぞれ横型にして用いる場合の外観態様を模式的に表わした全体斜視図である。
【図３】同上櫛形ヒートシンクでの各放熱フィンを横型にし、かつ各ヒートパイプを縦型にして用いる場合の外観態様を模式的に表わした全体斜視図である。
【図４】本発明の第２実施形態を適用した櫛形ヒートシンクの各別例による基本的な概要構成を示すもので、同図４(a)は同上櫛形ヒートシンクでの各放熱フィンと各ヒートパイプとをそれぞれ横型にした上で、各ヒートパイプを１°程度の比較的緩い傾斜角度で埋設配置して用いる場合の外観態様を模式的に表わした全体斜視図、同図４(b)は同上各ヒートパイプを１５°程度の比較的急な傾斜角度で埋設配置して用いる場合の全体斜視図である。
【図５】同上第１実施形態による櫛形ヒートシンクと第２実施形態による櫛形ヒートシンクとの各使用態様を示すもので、同図５(a)は第１実施形態による櫛形ヒートシンクの使用態様例を表わした正面説明図、同図５(b)は第２実施形態による櫛形ヒートシンクの使用態様例を表わした正面説明図である。
【符号の説明】
【００３１】
１０        ヒートシンク
１１        ベース板
１２        発熱素子（発熱体）
１３        放熱フィン
１４        冷却流路（冷却流体の通流路）
２１        ヒートパイプ
【図１】
2005076979.tif 000003
【図２】
2005076979.tif 000004
【図３】
2005076979.tif 000005
【図４】
2005076979.tif 000006
【図５】
2005076979.tif 000007